(57)【要約】本発明は、ＨＡＲＱプロセスによるデータ送受信に関するものである。本発明の一実施例に係るデータ伝送方法は、送信側が一つ以上の論理チャネルに一つ以上のＨＡＲＱプロセスをマッピングし、前記マッピング結果と関連した情報を含む制御信号を受信側に伝送する過程を含む。本発明の各実施形態によると、無線資源を効率的に使用することができ、不必要なオーバーヘッドを減らすことができる。前記論理チャネルは、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち少なくとも一つを含む。
2010514329.tif 000002
【特許請求の範囲】
【請求項１】
移動通信システムでＨＡＲＱプロセスによってデータを伝送する方法において、
送信側が一つ以上の論理チャネルに一つ以上のＨＡＲＱプロセスをマッピングする段階と、
前記マッピング結果と関連した情報を含む制御信号を受信側に伝送する段階と、
を含むデータ伝送方法。
【請求項２】
前記論理チャネルは、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち少なくとも一つを含むことを特徴とする、請求項１に記載のデータ伝送方法。
【請求項３】
前記マッピングする段階は、
前記ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち何れか一つに専用放送ＨＡＲＱプロセス（Ｄｅｄｉｃａｔｅｄ  Ｂｒｏａｄｃａｓｔ  ＨＡＲＱ  Ｐｒｏｃｅｓｓ）をマッピングする段階を含むことを特徴とする、請求項２に記載のデータ伝送方法。
【請求項４】
前記マッピングする段階は、
一つ以上の論理チャネルに一つ以上のＨＡＲＱプロセス識別子をマッピングする段階を含むことを特徴とする、請求項１に記載のデータ伝送方法。
【請求項５】
前記マッピングする段階は、
前記論理チャネルの種類に相応するスケジューリング方式を前記受信側に予め通知する段階を含むことを特徴とする、請求項１に記載のデータ伝送方法。
【請求項６】
前記制御信号は、ＰＤＣＣＨ（Ｐｈｙｓｉｃａｌ  Ｄｏｗｎｌｉｎｋ  Ｃｏｎｔｒｏｌ  Ｃｈａｎｎｅｌ）信号、ＭＡＣ制御信号及びＲＲＣ制御信号のうち何れか一つであることを特徴とする、請求項１に記載のデータ伝送方法。
【請求項７】
前記マッピング結果によるＨＡＲＱプロセスでデータを前記受信側に伝送する段階をさらに含むことを特徴とする、請求項１に記載のデータ伝送方法。
【請求項８】
移動通信システムでＨＡＲＱプロセスによってデータを伝送する方法において、
送信側が一つ以上の論理チャネルに一つ以上のＨＡＲＱプロセスをマッピングする段階と、
前記マッピング結果によるＨＡＲＱプロセスでデータを受信側に伝送する段階と、を含むデータ伝送方法。
【請求項９】
前記論理チャネルは、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち少なくとも一つを含むことを特徴とする、請求項８に記載のデータ伝送方法。
【請求項１０】
前記マッピングする段階は、
前記ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち何れか一つに専用放送ＨＡＲＱプロセス（Ｄｅｄｉｃａｔｅｄ  Ｂｒｏａｄｃａｓｔ  ＨＡＲＱ  Ｐｒｏｃｅｓｓ）をマッピングする段階を含むことを特徴とする、請求項９に記載のデータ伝送方法。
【請求項１１】
前記マッピングする段階は、
前記論理チャネルの種類に相応するスケジューリング方式を前記受信側に予め通知する段階を含むことを特徴とする、請求項８に記載のデータ伝送方法。
【請求項１２】
移動通信システムでＨＡＲＱプロセスによってデータを伝送する方法において、
送信側で初期値として保存された論理チャネルに対するＨＡＲＱプロセスのマッピング結果を読み出す段階と、
前記マッピング結果によるＨＡＲＱプロセスで受信側にデータを伝送する段階と、を含むデータ伝送方法。
【請求項１３】
前記論理チャネルは、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち少なくとも一つを含むことを特徴とする、請求項１２に記載のデータ伝送方法。
【請求項１４】
前記マッピング結果は、一つ以上の論理チャネルに一つ以上のＨＡＲＱプロセスがマッピングされたことを特徴とする、請求項１２に記載のデータ伝送方法。
【請求項１５】
移動通信システムでＨＡＲＱプロセスによってデータを受信する端末において、
送信側から制御信号を受信する無線通信部と、
前記制御信号に含まれた論理チャネルに対するＨＡＲＱプロセスのマッピング結果によって前記送信側のデータを受信するためのＨＡＲＱプロセス動作を決定する制御部と、を含む移動通信端末。
【請求項１６】
前記論理チャネルは、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち少なくとも一つを含むことを特徴とする、請求項１５に記載の移動通信端末。
【請求項１７】
前記マッピング結果は、一つ以上の論理チャネルに一つ以上のＨＡＲＱプロセスがマッピングされたことを特徴とする請求項１５に記載の移動通信端末。
【請求項１８】
移動通信システムでＨＡＲＱプロセスによってデータを受信する端末において、
ＨＡＲＱプロセスと論理チャネルとの間のマッピング結果を保存するメモリ部と、
前記メモリ部に初期値として保存された前記マッピング結果を読み出し、前記マッピング結果によって前記送信側のデータを受信するためのＨＡＲＱプロセス動作を決定する制御部と、を含む移動通信端末。
【請求項１９】
前記論理チャネルは、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち少なくとも一つを含むことを特徴とする、請求項１８に記載の移動通信端末。
【請求項２０】
前記マッピング結果は、一つ以上の論理チャネルに一つ以上のＨＡＲＱプロセスがマッピングされたことを特徴とする請求項１８に記載の移動通信端末。
【発明の詳細な説明】
【技術分野】
【０００１】
本発明は、ＨＡＲＱプロセスに関するもので、特に、ＨＡＲＱ動作指示のための情報及びＭＡＣヘッダーに含まれる論理チャネル識別子情報を省略し、無線資源の効率を高めることができるデータ送受信方法及びこれを支援する送受信装置に関するものである。
【背景技術】
【０００２】
次世代の移動通信標準として脚光を浴びているＬＴＥ（Ｌｏｎｇ  Ｔｅｒｍ  Ｅｖｏｌｕｔｉｏｎ）システムでは、データ送信または受信のための無線資源を割り当て、各種の伝送パラメーターを設定するための多様なスケジューリング方式が提案されている。以下、代表的な四つのスケジューリング方式を紹介する。
【０００３】
第一に、可変（Ｄｙｎａｍｉｃ）スケジューリング方式は、基本的に一つの伝送区間（ＴＴＩ）に伝送されるデータごとにＤＬスケジューリング情報またはＵＬスケジューリング情報が要求される方式である。
【０００４】
データを送信または受信するために非同期ＨＡＲＱ方式で端末と基地局が動作する場合、可変スケジューリング方式では、データの初期伝送のみならず、再伝送時にもＤＬスケジューリング情報またはＵＬスケジューリング情報が要求される。その反面、端末と基地局が同期ＨＡＲＱ方式で動作する場合、初期データ伝送時のみにデータごとにＤＬスケジューリング情報またはＵＬスケジューリング情報が要求されるだけで、再伝送時には別途のスケジューリング情報が要求されない。このとき、可変スケジューリングでのＤＬスケジューリング情報またはＵＬスケジューリング情報は、単一の端末に有効であるという特徴を有する。
【０００５】
第二に、永久（Ｐｅｒｓｉｓｔｅｎｔ）スケジューリング方式は、上述した可変スケジューリング方式のように伝送区間ごとにＤＬスケジューリング情報またはＵＬスケジューリング情報を伝送するのでなく、無線ベアラ設定時などのように、基地局がＲＲＣ信号を通してデータの送信または受信処理方法を静的に端末に予め知らせる方式である。これによって、端末は、データ送受信時、ＤＬスケジューリング情報またはＵＬスケジューリング情報なしに、ＲＲＣ信号を通して予め設定された情報を用いる。
【０００６】
一例として、基地局が、ＲＲＣ信号を通してＡという無線資源に、Ｂという伝送形式でＣという周期によってダウンリンクデータを受信することを端末に予め設定した場合、端末は、前記Ａ、Ｂ、Ｃ値を用いて別途のＤＬスケジューリング情報なしにデータを受信することができる。これと同様に、端末が基地局にデータを送信する場合にも、前記情報によって別途のＵＬスケジューリング情報なしにデータを伝送することができる。
【０００７】
第三に、グループ（Ｇｒｏｕｐｉｎｇ）スケジューリング方式は、可変スケジューリング方式と類似しているが、可変スケジューリングが一つの端末のみに有効な方式である反面、グループスケジューリングは複数個の端末に有効であるという点で差がある。
【０００８】
一例として、Ａというグループに１番から１０番までの端末があると仮定し、１番、２番及び３番の端末がＤＬスケジューリング情報を要求すると、基地局は、グループＤＬスケジューリング情報にＡというグループ識別子、１番、２番及び３番の端末の識別子、並びに前記各端末のＤＬスケジューリング情報を含んで一度に伝送する。
【０００９】
第四に、同期ＨＡＲＱ再伝送方式（Ｓｙｎｃｈｒｏｎｏｕｓ  ｒｅｔｒａｎｓｍｉｓｓｉｏｎまたはＳｅｍｉ−ｓｔａｔｉｃ  ｓｃｈｅｄｕｌｉｎｇ）は、端末と基地局が非同期ＨＡＲＱ方式でデータを送信または受信するときに使用する方式で、データの初期伝送時には非同期ＨＡＲＱ方式で動作し、データの再伝送時には同期ＨＡＲＱ方式で動作する方法である。
【００１０】
一例として、端末にＨＡＲＱ再伝送方式が設定されている場合、ＤＬスケジューリング情報に非同期ＨＡＲＱ情報が含まれているとしても、再伝送が発生すると、端末と基地局が同期ＨＡＲＱ方式で動作する。すなわち、ＲＲＣ信号を通して再伝送周期などの情報を端末に予め設定し、再伝送時に、前記設定情報と初期データ受信時に獲得したＤＬスケジューリング情報を用いて再伝送を行う。
【００１１】
しかしながら、データの送受信に一律的に可変スケジューリング方式を使用する場合、初期伝送や再伝送と関係なしに、基地局は、常にＤＬ−ＳＣＨを通してデータを伝送するときごとにＤＬ  Ｌ1／Ｌ２制御チャネル、例えば、ＰＤＣＣＨ（Ｐｈｙｓｉｃａｌ  Ｄｏｗｎｌｉｎｋ  Ｃｏｎｔｒｏｌ  Ｃｈａｎｎｅｌ）を通してＤＬスケジューリング情報を伝送すべきであるので、制限されたＤＬ  Ｌ1／Ｌ２制御チャネルの容量に比べて不必要なオーバーヘッドが発生しうる。
【００１２】
また、ＨＡＲＱフィードバックのないＨＡＲＱソフト合成（ＨＡＲＱ  ｓｏｆｔ  ｃｏｍｂｉｎｉｎｇ）動作のように特別なＨＡＲＱ動作を指示するためには追加情報が必要であり、無線資源が浪費されるという問題点がある。
【発明の概要】
【発明が解決しようとする課題】
【００１３】
本発明は、上記のような問題点を解決するために提案されたものである。
【００１４】
したがって、本発明が解決しようとする第一の技術的課題は、データ伝送における不必要なオーバーヘッドを減らし、無線資源を効率的に使用することができるデータ伝送方法を提供することにある。
【００１５】
本発明が解決しようとする第二の技術的課題は、上記のようなデータ伝送方法が適用された受信側の移動通信端末を提供することにある。
【課題を解決するための手段】
【００１６】
上記のような技術的課題を解決するために、本発明の一実施例に係るデータ伝送方法は、送信側が一つ以上の論理チャネルに一つ以上のＨＡＲＱプロセスをマッピングし、前記マッピング結果と関連した情報を含む制御信号を受信側に伝送する過程を含む。
【００１７】
好ましくは、前記論理チャネルは、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち少なくとも一つを含むことができる。この場合、前記マッピングする過程で、前記ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち何れか一つに専用放送ＨＡＲＱプロセスをマッピングすることができる。
【００１８】
好ましくは、前記マッピングする過程で、一つ以上の論理チャネルに一つ以上のＨＡＲＱプロセス識別子をマッピングすることができる。
【００１９】
好ましくは、前記マッピングする過程で、前記論理チャネルの種類に相応するスケジューリング方式を前記受信側に予め通知することができる。
【００２０】
好ましくは、前記制御信号は、ＰＤＣＣＨ（Ｐｈｙｓｉｃａｌ  Ｄｏｗｎｌｉｎｋ  Ｃｏｎｔｒｏｌ  Ｃｈａｎｎｅｌ）信号、ＭＡＣ制御信号及びＲＲＣ制御信号のうち何れか一つである。
【００２１】
好ましくは、本発明の一実施例に係るデータ伝送方法は、前記マッピング結果によるＨＡＲＱプロセスでデータを前記受信側に伝送する過程をさらに含むことができる。
【００２２】
上記のような技術的課題を解決するために、本発明の他の実施例に係るデータ伝送方法は、送信側が一つ以上の論理チャネルに一つ以上のＨＡＲＱプロセスをマッピングし、前記マッピング結果によるＨＡＲＱプロセスでデータを受信側に伝送する過程を含む。この場合、送信側は、前記マッピング結果を前記データに含ませるか、前記端末に初期値として保存させることで、別途の制御信号の伝送なしに前記マッピング結果を知らせることができる。
【００２３】
好ましくは、前記論理チャネルは、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち少なくとも一つを含むことができる。この場合、前記マッピングする過程で、前記ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち何れか一つに専用放送ＨＡＲＱプロセスをマッピングすることができる。
【００２４】
好ましくは、前記マッピングする過程で、前記論理チャネルの種類に相応するスケジューリング方式を前記受信側に予め通知することができる。
【００２５】
上記のような技術的課題を解決するために、本発明の更に他の実施例に係るデータ伝送方法は、移動通信システムでＨＡＲＱプロセスによってデータを伝送する方法において、送信側で初期値として保存された論理チャネルに対するＨＡＲＱプロセスのマッピング結果を読み出す過程と、前記マッピング結果によるＨＡＲＱプロセスで受信側にデータを伝送する過程とを含む。
【００２６】
好ましくは、前記論理チャネルは、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち少なくとも一つを含むことができる。
【００２７】
好ましくは、前記マッピング結果は、一つ以上の論理チャネルに一つ以上のＨＡＲＱプロセスがマッピングされたものである。
【００２８】
上記のような技術的課題を解決するために、本発明の一実施例に係る移動通信端末は、送信側から制御信号を受信する制御信号受信部と、前記制御信号に含まれた論理チャネルに対するＨＡＲＱプロセスのマッピング結果によって送信側のデータを受信するためのＨＡＲＱプロセス動作を決定する制御部とを含む。
【００２９】
好ましくは、前記制御部のマッピング対象である前記論理チャネルは、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち少なくとも一つを含むことができる。
【００３０】
好ましくは、前記マッピング結果は、一つ以上の論理チャネルに一つ以上のＨＡＲＱプロセスがマッピングされたものである。
【００３１】
上記のような技術的課題を解決するために、本発明の他の実施例に係る移動通信端末は、ＨＡＲＱプロセスと論理チャネルとの間のマッピング結果を保存するメモリ部と、前記メモリ部に初期値として保存された前記マッピング結果を読み出し、前記マッピング結果によって前記送信側のデータを受信するためのＨＡＲＱプロセス動作を決定する制御部とを含む。
【００３２】
好ましくは、前記制御部のマッピング対象である前記論理チャネルは、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）またはＭＴＣＨ（ＭＢＭＳ  Ｔｒａｆｆｉｃ  Ｃｈａｎｎｅｌ）のうち少なくとも一つを含むことができる。
【００３３】
好ましくは、前記マッピング結果は、一つ以上の論理チャネルに一つ以上のＨＡＲＱプロセスがマッピングされたものである。
【発明の効果】
【００３４】
本発明の各実施形態によると、論理チャネルとＨＡＲＱプロセスをマッピングした結果によってデータを送受信することで、ＨＡＲＱフィードバックのない特別なＨＡＲＱ動作を指示したり、論理チャネルごとに互いに異なるＨＡＲＱプロセスで動作させるための追加情報が必要でなく、伝送チャネルと論理チャネルをマッピングするためにＭＡＣヘッダーに含まれる論理チャネル識別子情報を省略することができ、不必要なオーバーヘッドを減らし、無線資源を効率的に使用することができる。
【図面の簡単な説明】
【００３５】
【図１】Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構造を示した図である。
【図２】３ＧＰＰ無線接続網規格を基盤とするＵＥとＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）との間の無線インターフェースプロトコルの構造を示した図である。
【図３】３ＧＰＰ無線接続網規格を基盤とするＵＥとＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）との間の無線インターフェースプロトコルの構造を示した図である。
【図４】第１先行情報の伝送過程を示した図である。
【図５】本発明の一実施例におけるサービス種類による論理チャネル区分過程を示した図である。
【図６】本発明の一実施例に係る第２先行情報の伝送過程を示した図である。
【図７】同期ＨＡＲＱ再伝送方式によって初期伝送及び再伝送が行われる状態を示した図である。
【図８】可変スケジューリング方式によって初期伝送及び再伝送が行われる状態を示した図である。
【図９】端末識別子に対するスケジューリング方式を含む第２先行情報の伝送過程を示した図である。
【図１０】図９の第２先行情報によるスケジューリング方式決定過程を示した図である。
【図１１】図９の第２先行情報によるスケジューリング方式決定過程を示した図である。
【図１２】追加フィールドを含む第２先行情報の伝送過程を示した図である。
【図１３】図１２の第２先行情報によるスケジューリング方式決定過程を示した図である。
【図１４】図１２の第２先行情報によるスケジューリング方式決定過程を示した図である。
【図１５】グループスケジューリングに対する追加フィールドを用いたスケジューリング方式決定過程を示した図である。
【図１６】本発明の一実施例に係る移動端末の構成を示したブロック図である。
【発明を実施するための形態】
【００３６】
以下、本発明の明細書に添付された図面を参考にして、好適な実施例を詳細に説明する。ここで、本発明の適用背景を説明した後、これに基づいて本発明の主要な実施例を説明することにする。
【００３７】
図１は、本発明が適用される移動通信システムとしてＥ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構造を示した図である。
【００３８】
Ｅ−ＵＭＴＳシステムは、既存のＵＭＴＳシステムから進化したシステムで、現在３ＧＰＰ（３ｒｄ  Ｇｅｎｅｒａｔｉｏｎ  Ｐａｒｔｎｅｒｓｈｉｐ  Ｐｒｏｊｅｃｔ）で基礎的な標準化作業を進行しており、ＬＴＥ（Ｌｏｎｇ  Ｔｅｒｍ  Ｅｖｏｌｕｔｉｏｎ）システムとも言える。
【００３９】
Ｅ−ＵＭＴＳシステムは、大きくＥ−ＵＴＲＡＮ１００とＣＮ２００に区分することができる。
【００４０】
Ｅ−ＵＴＲＡＮ１００は、網の終端に位置して外部網と連結される接続ゲートウェイ（Ａｃｃｅｓｓ  Ｇａｔｅｗａｙ；以下、‘ＡＧ'という。）１１０、基地局（以下、‘ｅＮｏｄｅ  Ｂ'という。）１２０及び端末（Ｕｓｅｒ  Ｅｑｕｉｐｍｅｎｔ；以下、‘ＵＥ'という。）１３０で構成される。ＡＧ１１０は、使用者トラフィック処理を担当する部分と制御用トラフィックを処理する部分とに分離することもできる。この場合、新しい使用者トラフィック処理のためのＡＧと制御用トラフィックを処理するＡＧとの間に新しいインターフェースを定義し、これらＡＧが互いに通信を取り交わすこともできる。一つのｅＮｏｄｅ  Ｂ１２０には一つ以上のセルが存在し、各ｅＮｏｄｅ  Ｂの間には使用者トラフィックまたは制御トラフィック伝送のためのインターフェースが使用される。
【００４１】
ＣＮ２００は、ＡＧ１１０及びその他のＵＥ１３０の使用者登録のためのノードなどで構成される。Ｅ−ＵＴＲＡＮ１００とＣＮ２００を区分するためのインターフェースが使用されることもある。
【００４２】
ＵＥ１３０と網との間の無線インターフェースプロトコルの各階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個の階層に基づいてＬ１（第１階層）、Ｌ２（第２階層）及びＬ３（第３階層）に区分される。このうち、第１階層に属する物理階層は、物理チャネルを用いた情報伝送サービスを提供し、第３階層に位置する無線資源制御（Ｒａｄｉｏ  Ｒｅｓｏｕｒｃｅ  Ｃｏｎｔｒｏｌ；以下、‘ＲＲＣ'という。）階層は、ＵＥ１３０と網との間で無線資源を制御する役割を行う。このために、ＲＲＣ階層は、ＵＥ１３０と網との間でＲＲＣメッセージを互いに交換する。ＲＲＣ階層は、ｅＮｏｄｅ  Ｂ１２０及びＡＧ１１０などの網の各ノードに分散されて位置するか、ｅＮｏｄｅ  Ｂ１２０またはＡＧ１１０のみに位置する。
【００４３】
ＵＥ１３０のチャネル状況やＵＥ１３０に提供されるサービスは随時に変化可能であり、このような通信状況の変化によって、無線資源割当及び各種の伝送パラメーター設定などのためのスケジューリング方式も適応的に変更することが好ましい。
【００４４】
したがって、ＵＥ１３０の通信状況が変化すると、網は、所定の制御信号を該当のＵＥ１３０に伝送し、通信状況に適したスケジューリング方式に変更することを指示することができる。
【００４５】
このために、網は、ＵＥのチャネル状態または該当のＵＥに提供されるサービスの種類などの通信状況を把握し、把握された通信状況に相応するスケジューリング方式を決定した後、決定されたスケジューリング方式を知らせるための制御信号を該当のＵＥに伝送する。
【００４６】
このとき、スケジューリング方式としては、上述した可変スケジューリング方式、永久スケジューリング方式、グループスケジューリング方式及び同期ＨＡＲＱ再伝送方式などが使用される。
【００４７】
また、網は、ＵＥ１３０に制御信号を伝送するために媒体接続制御（Ｍｅｄｉｕｍ  Ａｃｃｅｓｓ  Ｃｏｎｔｒｏｌ；以下、‘ＭＡＣ'という。）階層、ＲＲＣ階層などの無線資源インターフェースを用いることができる。したがって、前記制御信号としては、ＤＬ  Ｌ１／Ｌ２制御信号、ＭＡＣ信号及びＲＲＣ信号が用いられ、特に、ＤＬ  Ｌ１／Ｌ２制御信号は、ＤＬスケジューリング情報またはＵＬスケジューリング情報である。以下、これに対して詳細に説明する。
【００４８】
図２及び図３は、３ＧＰＰ無線接続網規格を基盤とするＵＥとＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）との間の無線インターフェースプロトコルの構造を示す。
【００４９】
ＵＥとＵＴＲＡＮとの間の無線インターフェースプロトコルは、水平的には物理階層、データリンク階層及びネットワーク階層で構成され、垂直的には制御信号伝達のための制御平面（図２）とデータ情報伝送のための使用者平面（図３）とに区分される。図２及び図３のプロトコル階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個の階層に基づいてＬ１（第１階層）、Ｌ２（第２階層）及びＬ３（第３階層）に区分される。
【００５０】
以下、図２の無線プロトコル制御平面と図３の無線プロトコル使用者平面の各階層を具体的に説明する。
【００５１】
第１階層である物理階層１０は、物理チャネルを用いて上位階層に情報伝送サービスを提供する。物理階層１０は、上位にあるＭＡＣ階層２０とは伝送チャネルを通して連結されており、この伝送チャネルを通してＭＡＣ階層２０と物理階層１０との間にデータが移動する。そして、互いに異なる物理階層の間、すなわち、送信側と受信側の物理階層の間には物理チャネルを通してデータが移動する。
【００５２】
第２階層であるＭＡＣ階層２０は、論理チャネルを通して上位階層である無線リンク制御（Ｒａｄｉｏ  Ｌｉｎｋ  Ｃｏｎｔｒｏｌ；以下、‘ＲＬＣ'という。）階層にサービスを提供する。第２階層のＲＬＣ階層３０は、信頼性のあるデータの伝送を支援する。一方、ＲＬＣ階層３０の機能がＭＡＣ内部の機能ブロックで具現されることもある。この場合には、ＲＬＣ階層が存在しないこともある。第２階層のＰＤＣＰ階層５０は、ＩＰｖ４やＩＰｖ６などのＩＰパケット伝送時に帯域幅の小さい無線区間で効率的に伝送するために、相対的に大きくて不必要な制御情報を含んでいるＩＰパケットヘッダーサイズを減らすヘッダー圧縮機能を行う。
【００５３】
第３階層の最下部に位置したＲＲＣ階層４０は、制御平面のみで定義され、無線ベアラ（Ｒａｄｉｏ  Ｂｅａｒｅｒ；以下、‘ＲＢ'という。）の設定、再設定及び解除と関連して論理チャネル、伝送チャネル及び物理チャネルの制御を担当する。このとき、ＲＢは、端末とＵＴＲＡＮとの間のデータ伝達のために第２階層によって提供されるサービスを意味する。
【００５４】
網からＵＥにデータを伝送するダウンリンク伝送チャネルとしては、システム情報を伝送するＢＣＨ（Ｂｒｏａｄｃａｓｔ  Ｃｈａｎｎｅｌ）と、使用者トラフィックや制御メッセージを伝送するダウンリンクＳＣＨ（Ｓｈａｒｅｄ  Ｃｈａｎｎｅｌ）とがある。ダウンリンクマルチキャストまたは放送サービスのトラフィックまたは制御メッセージの場合、ダウンリンクＳＣＨを通して伝送されるか、別途のダウンリンクＭＣＨ（Ｍｕｌｔｉｃａｓｔ  Ｃｈａｎｎｅｌ）を通して伝送される。
【００５５】
ここで、ダウンリンクＳＣＨは、使用者トラフィックを伝送するためのＤＬ−ＳＣＨと、ＤＬ−ＳＣＨを通して受信した使用者トラフィックを処理する方法などに関する制御情報を伝送するためのＤＬ  Ｌ１／Ｌ２制御チャネルとに区分することができる。特に、後者の制御情報をＤＬスケジューリング情報という。
【００５６】
ＤＬスケジューリング情報には、グループ識別子及び／または端末識別子などの識別子情報、時間／周波数などの無線資源を割り当てるための無線資源割当情報、割り当てられた無線資源の有効区間を指定する割当区間情報、多重送受信アンテナ（ＭＩＭＯ）またはビームフォーミング（Ｂｅａｍ  ｆｏｒｍｉｎｇ）方式に関する情報を含む多重アンテナ情報、モジュレーション情報、ペイロードの大きさ、非同期ＨＡＲＱ情報、同期ＨＡＲＱ情報などのような制御情報が含まれる。ここで、非同期ＨＡＲＱ情報は、ＨＡＲＱプロセス識別子（ＨＡＲＱ  ｐｒｏｃｅｓｓ  ｎｕｍｂｅｒ）、リダンダンシーバージョン（Ｒｅｄｕｎｄａｎｃｙ  ｖｅｒｓｉｏｎ；ＲＶ）、新しいデータ指示子などを含み、同期ＨＡＲＱ情報は再伝送シーケンス番号を含む。
【００５７】
一方、ＵＥから網にデータを伝送するアップリンク伝送チャネルとしては、初期制御メッセージを伝送するＲＡＣＨ（Ｒａｎｄｏｍ  Ａｃｃｅｓｓ  Ｃｈａｎｎｅｌ）と、使用者トラフィックや制御メッセージを伝送するアップリンクＳＣＨ（Ｓｈａｒｅｄ  Ｃｈａｎｎｅｌ）とがある。
【００５８】
ここで、アップリンクＳＣＨも、実際にトラフィックを伝送するためのＵＬ−ＳＣＨと、ＵＬ−ＳＣＨを通して受信したトラフィックを処理する方法などに関する制御情報を伝送するためのＵＬ  Ｌ１／Ｌ２制御チャネルとに区分することができる。特に、後者の制御情報をＵＬスケジューリング情報といい、ＵＬスケジューリング情報には、識別子情報、無線資源割当情報、割当区間情報、多重アンテナ情報、モジュレーション情報、ペイロードの大きさなどの伝送パラメーターなどが含まれる。
【００５９】
以下、網が所定の制御信号を通してＵＥに特定のスケジューリング方式を通知するための多様な方法を具体的に説明する。
【００６０】
以下では、データの送信側を網に仮定し、データの受信側をＵＥに仮定して説明するが、本発明に係る技術的思想はこれに限定されない。
【００６１】
下記の各実施例において、共通的に、網は、通信状況によって適切なスケジューリング方式が適用されるために必要な各種の情報（第１先行情報）を予めＵＥに伝送することができる。第１先行情報には、最大再伝送回数、リダンダンシーバージョン（Ｒｅｄｕｎｄａｎｃｙ  ｖｅｒｓｉｏｎ；ＲＶ）、再伝送周期及び変更可能なスケジューリング方式の種類などが含まれ、一例としてＲＲＣ信号を通して伝送される。図４は、第１先行情報の伝送過程を示している。
【００６２】
ただし、これに限定されることなく、前記各情報は、別途のＲＲＣ信号伝送なしに予め網とＵＥとの間に初期値などとして設定されることもある。
【００６３】
本発明の一実施例に係るデータ伝送方法は、論理チャネルに対するＨＡＲＱプロセスのマッピング結果を用いて網から通知を受けたスケジューリング方式を判別する方法を提案する。
【００６４】
網は、ＵＥのチャネル状態または該当のＵＥに提供されるサービスの種類などの通信状況を把握し、把握された通信状況に相応するスケジューリング方式を決定する。ここで、スケジューリング方式決定の基準である通信状況として該当のＵＥに提供されるサービスを例に挙げて説明する。
【００６５】
網は、提供されるサービスの種類によって一つ以上の論理チャネルを区分し、区分された各論理チャネルにＨＡＲＱプロセス、例えば、ＨＡＲＱプロセス識別子をマッピングする。その後、網は、前記ＨＡＲＱプロセスのマッピング結果に関する制御信号をＵＥに伝送する。ＨＡＲＱプロセスがマッピングされる論理チャネルの例としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＭＣＣＨ（ＭＢＭＳ  Ｃｏｎｔｒｏｌ  Ｃｈａｎｎｅｌ）、ＭＴＣＨ（ＭＢＭＳ  Ｔｒａｆｆｉｃ  Ｃｈａｎｎｅｌ）などがある。
【００６６】
一例として、ＵＥに提供されるサービスは、実時間データ（Ｒｅａｌ  Ｔｉｍｅ  Ｔｒａｆｆｉｃ、ＲＴ  Ｔｒａｆｆｉｃ）サービスと非実時間データ（Ｎｏｎ−Ｒｅａｌ  Ｔｉｍｅ  Ｔｒａｆｆｉｃ、ＮＲＴ  Ｔｒａｆｆｉｃ）サービスとに区分することができ、０番から３番までの論理チャネルが存在し、０番から５番までのＨＡＲＱプロセスが存在すると仮定する。そして、０番と１番の論理チャネルは実時間データの伝送のために使用され、２番と３番の論理チャネルは非実時間データの伝送のために使用されると仮定する。
【００６７】
ここで、網が０番と１番の論理チャネルに０番と１番のＨＡＲＱプロセスをそれぞれマッピングし、２番と３番の論理チャネルに２〜５番のＨＡＲＱプロセスをそれぞれマッピングするとき、結局、０番と１番のＨＡＲＱプロセスは実時間データの伝送に用いられ、２〜５番のＨＡＲＱプロセスは非実時間データの伝送に用いられる。図５は、このような場合のサービス種類による論理チャネル区分過程を示している。
【００６８】
網は、提供サービスの種類、論理チャネルの区分、区分された論理チャネルに対するＨＡＲＱプロセスのマッピング結果に対する情報、及び各ＨＡＲＱプロセスに対するスケジューリング方式を含む第２先行情報をＵＥに伝送することができる。このとき、第２先行情報は、ＲＲＣ信号を通して伝送される。図６は、第２先行情報の伝送過程を示している。
【００６９】
ＵＥは、網から第２先行情報を受信した後、ダウンリンクのデータ受信のためにＤＬ  Ｌ１／Ｌ２制御チャネルを通して伝送されるＤＬスケジューリング情報を確認する。ＤＬスケジューリング情報にはＨＡＲＱプロセス識別子が含まれている。したがって、ＵＥは、ＤＬスケジューリング情報に０番または１番のＨＡＲＱプロセス識別子が含まれたことを確認し、前記データをスケジューリング方式Ｂ（一例として、同期ＨＡＲＱ再伝送方式）で受信することを決定する。以下、同期ＨＡＲＱ再伝送方式に対してより詳細に説明する。
【００７０】
ＵＥは、特定のデータの再伝送でない初期伝送を受信するためにＤＬ  Ｌ１／Ｌ２制御チャネルを通して伝送されるＤＬスケジューリング情報を受信し、受信されたＤＬスケジューリング情報によってＤＬ−ＳＣＨを通して伝送されるデータを受信する。ＵＥが前記データを正常に受信していない場合、ＵＥは、これを知らせる否定応答信号（ＮＡＣＫ）を網に伝送し、網は、前記状況情報によって該当のデータを再伝送する。
【００７１】
データ再伝送時、網は、初期伝送に使用された無線資源の情報及び伝送形式をそのまま用いて伝送し、ＵＥと予め約束した特定の時間間隔に合わせて再伝送を行う。前記時間間隔は、図４を参照して説明したように、網とＵＥとの間でＲＲＣ信号を通して予め約束される。
【００７２】
図７は、同期ＨＡＲＱ再伝送方式によって初期伝送及び再伝送が行われる状態を示している。すなわち、データの初期伝送とは異なり、再伝送状況では、ＵＥは、ＤＬ  Ｌ１／Ｌ２制御チャネルを通して伝送されるＤＬスケジューリング情報を含まない再伝送データを受信する。したがって、再伝送データを受信するためには、初期伝送時に獲得したＤＬスケジューリング情報と、ＲＲＣ信号を通して予め獲得した第１先行情報及び／または第２先行情報を通して関連パラメーター情報を用いる。
【００７３】
ＨＡＲＱプロセスが２〜５番のうち何れか一つであると、ＵＥは、再伝送データに別途に含まれたＤＬスケジューリング情報を用いて再伝送を行う。図８は、可変スケジューリング方式によって初期伝送及び再伝送が行われる状態を示している。
【００７４】
好ましくは、端末は、端末識別子を用いてスケジューリング方式を判別することもできる。
【００７５】
この場合、網は、ＵＥのチャネル状態または該当のＵＥに提供されるサービスの種類などの通信状況を把握し、把握された通信状況に相応するスケジューリング方式を決定する。
【００７６】
ＵＥが複数個の端末識別子を持つと仮定するとき、網は、各端末識別子に対するスケジューリング方式を含む第２先行情報をＵＥに伝送する。このとき、第２先行情報はＲＲＣ信号を通して伝送される。
【００７７】
図９は、端末識別子に対するスケジューリング情報を含む第２先行情報の伝送過程を示している。
【００７８】
ＵＥは、網から第２先行情報を受信した後、ダウンリンクのデータ受信のためにＤＬ  Ｌ１／Ｌ２制御チャネルを通して伝送されるＤＬスケジューリング情報を確認する。図９の一例によると、ＤＬスケジューリング情報が端末識別子１を用いて伝送された場合、ＵＥは、前記データをスケジューリング方式Ａで受信することを決定し、ＤＬスケジューリング情報が端末識別子２を用いて伝送された場合、ＵＥは、前記データをスケジューリング方式Ｂで受信することを決定する。このようなスケジューリング方式の決定過程が図１０及び図１１に示されている。
【００７９】
好ましくは、網は、ＤＬスケジューリング情報にスケジューリング方式指定のための特定のフィールドを追加することもできる。
【００８０】
この場合、網は、ＵＥのチャネル状態または該当のＵＥに提供されるサービスの種類などの通信状況を把握し、把握された通信状況に相応するスケジューリング方式を決定する。そして、ＤＬスケジューリング情報の追加フィールドに前記決定されたスケジューリング方式を指定する。
【００８１】
このとき、通信システムが支援するスケジューリング方式が２個以下である場合、前記追加フィールドは１ビットで充分であるが、通信システムが支援するスケジューリング方式が２個以上である場合、該当の種類数を充分に指定できるように追加フィールドのビット数を増やすことができる。
【００８２】
網は、特定のフィールドが追加されたＤＬスケジューリング情報のフォーマット情報と、提供可能なスケジューリング方式を含む第２先行情報をＵＥに伝送する。このとき、第２先行情報はＲＲＣ信号を通して伝送される。
【００８３】
図１２は、追加フィールドを含む第２先行情報の伝送過程を示している。
【００８４】
ＵＥは、網から第２先行情報を受信し、変更されたＤＬスケジューリング情報のフォーマットを確認した後、ダウンリンクのデータ受信のためにＤＬ  Ｌ１／Ｌ２制御チャネルを通して伝送されるＤＬスケジューリング情報を確認する。
【００８５】
一例として、追加フィールドは１ビットからなり、‘０'は可変スケジューリング方式にマッピングされ、‘１'は同期ＨＡＲＱ再伝送方式にマッピングされると仮定する。このとき、受信されたＤＬスケジューリング情報の追加フィールドが‘０'である場合、ＵＥは、前記データを可変スケジューリング方式で受信することを決定し、受信されたＤＬスケジューリング情報の追加フィールドが‘１'である場合、ＵＥは、前記データを同期ＨＡＲＱ再伝送方式で受信することを決定する。このようなスケジューリング方式の決定過程が図１３及び図１４に示されている。
【００８６】
好ましくは、網は、グループ単位の端末に伝送されるＤＬスケジューリング情報にスケジューリング方式指定のための特定のフィールドを追加することもできる。
【００８７】
この場合、網は、特定のグループに含まれたＵＥのチャネル状態または該当のＵＥに提供されるサービスの種類などの通信状況を把握し、把握された通信状況に相応するスケジューリング方式を決定する。
【００８８】
網は、ＤＬ  Ｌ１／Ｌ２制御信号の情報量を減らすために、グループに束ねられた特定の端末に一回のＤＬスケジューリング情報を伝達する。このようなスケジューリング方法をグループスケジューリング方式といい、前記スケジューリング情報をグループＤＬスケジューリング情報という。以下、グループスケジューリング方式を、図１５を参照にして具体的に説明する。
【００８９】
一例として、特定のグループにＵＥ１、ＵＥ２及びＵＥ３のように３個のＵＥが存在すると仮定するとき、グループＤＬスケジューリング情報には、一つのグループ識別子、各ＵＥに対する端末識別子、各ＵＥに対するスケジューリング情報及び各ＵＥに対するスケジューリング方式が含まれる。
【００９０】
図１５に示すように、通信システムが可変スケジューリング方式（スケジューリング方式Ａ）と同期ＨＡＲＱ再伝送方式（スケジューリング方式Ｂ）の二つを支援する場合、グループＤＬスケジューリング情報には、各ＵＥに対するスケジューリング方式を指定するための１ビット大きさの追加フィールドが備わる。
【００９１】
各ＵＥは、網からグループＤＬスケジューリング情報を受信し、自身の端末識別子に該当するスケジューリング方式を確認した後、該当のスケジューリング方式によって使用者データを受信する。図１５の例によると、ＵＥ１に可変スケジューリング方式（スケジューリング方式Ａ）が適用され、ＵＥ２とＵＥ３に同期ＨＡＲＱ再伝送方式（スケジューリング方式Ｂ）が適用されることが分かる。
【００９２】
したがって、ＵＥ１は、網から特定のデータ（Ｄａｔａ１）を受信した後、再伝送が要求される場合、再びＤＬ  Ｌ１／Ｌ２制御チャネルを確認し、新しいグループＤＬスケジューリング情報または自身のみに伝送されるＤＬスケジューリング情報を通して再伝送を行う。その反面、ＵＥ２とＵＥ３は、特定のデータ（Ｄａｔａ１）に対する再伝送を行う場合、別途のＤＬスケジューリング情報なしにも、以前の伝送で使用されたグループＤＬスケジューリング情報またはＲＲＣ信号を通して予め受信した先行情報のパラメーター値を用いて再伝送を行う。
【００９３】
本発明の各実施例では、ダウンリンクのデータ送受信に対して説明したが、これに限定されることなく、アップリンクのデータ送受信にも同一の方式が適用される。
【００９４】
図１６は、本発明の移動端末の構成を示したブロック図である。
【００９５】
入力部５１０は、所望の機能を選択したり、情報の入力を受ける。表示部５２０は、移動端末を運用するための多様な情報を表す。
【００９６】
メモリ部５３０は、移動端末が動作するのに必要な各種のプログラム及び受信側に伝送するデータを保存する。メモリ部５３０は、ＨＡＲＱプロセスと論理チャネルとの間のマッピング結果を保存する。
【００９７】
無線通信部５４０は、外部信号を受信し、受信側にデータを伝送する。無線通信部５４０は、送信側から制御信号を受信することができる。
【００９８】
音声処理部５５０は、マイク（ＭＩＣ）からの音声信号を増幅し、これをデジタル信号に変換する。
【００９９】
スピーカー（ＳＰ）は、デジタル音声信号がアナログ音声信号に変換されて増幅されると、これを出力する。
【０１００】
制御部５６０は、移動端末の全体的な駆動を制御する。特に、制御部５６０は、無線通信部５４０が送信側から制御信号を受信する場合、制御信号に含まれた論理チャネルに対するＨＡＲＱプロセスのマッピング結果によって送信側のデータを受信するためのＨＡＲＱプロセス動作を決定する。
【０１０１】
また、制御部５６０は、メモリ部５４０に論理チャネルに対するＨＡＲＱプロセスのマッピング結果が初期値として保存された場合、前記マッピング結果をメモリ部５４０から読み出し、読み出されたマッピング結果によって前記送信側のデータを受信するためのＨＡＲＱプロセス動作を決定する。
【０１０２】
無線通信部５４０を通して網から特定のスケジューリング方式が指定された制御信号を受信し、指定されたスケジューリング方式によってデータ受信または送信のためのスケジューリングを行う。ここで、網から伝送を受けた制御信号から特定のスケジューリング方式を判別し、それによってデータ送受信を行うための具体的な制御部５６０及びその他の関連構成要素の役割は既に説明したので、それに対する説明を省略する。
【０１０３】
一方、本発明の移動端末としては、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどが用いられる。
【０１０４】
以上で説明した本発明は、本発明の属する技術分野で通常の知識を持つ者によって、本発明の技術的思想を逸脱しない範囲内で多様に置換、変形及び変更可能であるので、上述した実施例及び添付された図面によって限定されるものではない。
【産業上の利用可能性】
【０１０５】
本発明は、ＨＡＲＱプロセスに関するもので、不必要なオーバーヘッドを減らし、無線資源を効率的に使用することができるデータ伝送方法及び関連装置に関するもので、移動通信システムの端末、基地局、基地局制御器などの関連装置にハードウェア的に適用されるか、前記各装置の制御アルゴリズムにソフトウェア的に適用される。
【図１】
2010514329.tif 000003
【図２】
2010514329.tif 000004
【図３】
2010514329.tif 000005
【図４】
2010514329.tif 000006
【図５】
2010514329.tif 000007
【図６】
2010514329.tif 000008
【図７】
2010514329.tif 000009
【図８】
2010514329.tif 000010
【図９】
2010514329.tif 000011
【図１０】
2010514329.tif 000012
【図１１】
2010514329.tif 000013
【図１２】
2010514329.tif 000014
【図１３】
2010514329.tif 000015
【図１４】
2010514329.tif 000016
【図１５】
2010514329.tif 000017
【図１６】
2010514329.tif 000018
【国際調査報告】
2010514329.tif 000019
2010514329.tif 000020
2010514329.tif 000021